(57)【要約】【課題】  テンキーを搭載しなくとも電話番号の入力を行うことが可能な電話装置を提供する。【解決手段】  ユーザがダイヤル用ボタン５２の押下回数に応じて番号の入力が行われる（例えば、数字の「５」であれば、ユーザがダイヤル用ボタン５２を５回押下すれば良い）。続いて、ユーザが登録ボタン５３を押下することにより、入力された番号が確定される。この操作により１桁の番号の入力が完了する。この操作を複数桁数分操作することにより、電話番号の入力が完了し、続いて、ユーザが発信ボタン５４を押下することにより、入力された電話番号へ発呼が行われる。【選択図】  図１
2011009934.tif 000002
【特許請求の範囲】
【請求項１】
番号を入力するための第１のキーと、当該第１のキーの操作により入力された番号を確定するための第２のキーとを有し、
番号を入力する際に、前記第１のキーの押下回数に応じた数字を入力することが可能であり、前記第１のキーの押下に続いて前記第２のキーが操作されると、前記第１のキーの操作により入力された数字を確定することを特徴とする電話装置。
【請求項２】
番号を入力するための第１のキーと、当該第１のキーの操作により入力された番号を確定するための第２のキーとを有し、
前記第１のキーの押下回数に応じた数字を入力することが可能であり、前記第１のキーの押下に続いて前記第２のキーが操作されると、前記第１のキーの操作により入力された数字を確定し、１桁の電話番号の入力及び確定が可能であり、
前記１桁の電話番号の入力及び確定を複数回操作することにより複数桁の数字からなる電話番号の入力を実行することが可能であることを特徴とする電話装置。
【請求項３】
請求項２に記載の電話装置であり、前記第２のキーが操作される度に、確定した番号に対する音声をスピーカから出力することを特徴とする電話装置。
【請求項４】
０〜９の番号を入力するための第１のキーと、当該第１のキーの操作により入力された番号を確定するための第２のキーとを有し、
番号を入力する際に、前記第１のキーの押下回数に応じた数字を入力することが可能であり、前記第１のキーの押下に続いて前記第２のキーが操作されると、前記第１のキーの操作により入力された数字を確定することを特徴とする電話装置。
【請求項５】
０〜９の番号を入力するための第１のキーと、当該第１のキーの操作により入力された番号を確定するための第２のキーとを有し、
前記第１のキーの押下回数に応じた数字を入力することが可能であり、前記第１のキーの押下に続いて前記第２のキーが操作されると、前記第１のキーの操作により入力された数字を確定し、１桁の電話番号の入力及び確定が可能であり、
前記１桁の電話番号の入力及び確定を複数回操作することにより複数桁の数字からなる電話番号の入力を実行することが可能であることを特徴とする電話装置。
【請求項６】
請求項５に記載の電話装置であり、前記第２のキーが操作される度に、確定した番号に対する音声をスピーカから出力することを特徴とする電話装置。
【請求項７】
請求項５又は６に記載の電話装置であり、前記第１のキーの操作を行わずに、前記第２のキーの操作が行われると、「０」の数字の入力を確定することを特徴とする電話装置。
【発明の詳細な説明】
【技術分野】
【０００１】
本発明は、留守番電話装置やコードレス電話装置等の電話装置に関する。
【背景技術】
【０００２】
通常、電話装置にはテンキーが搭載されており、ユーザがこのテンキーを操作することにより電話番号を入力することが可能である。また、特許文献１に記載の技術のように、電話帳に電話番号を登録する際にも通常、このテンキーの操作により電話番号を登録することが可能である。
【先行技術文献】
【特許文献】
【０００３】
【特許文献１】特開平２００６−３１１４３４号公報
【発明の概要】
【発明が解決しようとする課題】
【０００４】
近年ではコードレス電話等の電話装置は小型化しており、装置を小型化するためには可能な限り配置するキーの個数が少ない方が好ましい。
【課題を解決するための手段】
【０００５】
請求項１に記載の発明は、番号を入力するための第１のキーと、当該第１のキーの操作により入力された番号を確定するための第２のキーとを有し、番号を入力する際に、前記第１のキーの押下回数に応じた数字を入力することが可能であり、前記第１のキーの押下に続いて前記第２のキーが操作されると、前記第１のキーの操作により入力された数字を確定することを特徴とする。
請求項２に記載の発明は、番号を入力するための第１のキーと、当該第１のキーの操作により入力された番号を確定するための第２のキーとを有し、前記第１のキーの押下回数に応じた数字を入力することが可能であり、前記第１のキーの押下に続いて前記第２のキーが操作されると、前記第１のキーの操作により入力された数字を確定し、１桁の電話番号の入力及び確定が可能であり、前記１桁の電話番号の入力及び確定を複数回操作することにより複数桁の数字からなる電話番号の入力を実行することが可能であることを特徴とする。
請求項３に記載の発明は、請求項２に記載の電話装置であり、前記第２のキーが操作される度に、確定した番号に対する音声をスピーカから出力することを特徴とする。
請求項４に記載の発明は、０〜９の番号を入力するための第１のキーと、当該第１のキーの操作により入力された番号を確定するための第２のキーとを有し、番号を入力する際に、前記第１のキーの押下回数に応じた数字を入力することが可能であり、前記第１のキーの押下に続いて前記第２のキーが操作されると、前記第１のキーの操作により入力された数字を確定することを特徴とする。
請求項５に記載の発明は、０〜９の番号を入力するための第１のキーと、当該第１のキーの操作により入力された番号を確定するための第２のキーとを有し、前記第１のキーの押下回数に応じた数字を入力することが可能であり、前記第１のキーの押下に続いて前記第２のキーが操作されると、前記第１のキーの操作により入力された数字を確定し、１桁の電話番号の入力及び確定が可能であり、前記１桁の電話番号の入力及び確定を複数回操作することにより複数桁の数字からなる電話番号の入力を実行することが可能であることを特徴とする。
請求項６に記載の発明は、請求項５に記載の電話装置であり、前記第２のキーが操作される度に、確定した番号に対する音声をスピーカから出力することを特徴とする。
請求項７に記載の発明は、請求項５又は６に記載の電話装置であり、前記第１のキーの操作を行わずに、前記第２のキーの操作が行われると、「０」の数字の入力を確定することを特徴とする。
【発明の効果】
【０００６】
本発明によれば、テンキーを搭載せずとも電話番号の入力を行うことが可能であるため、電話装置を小型化することができ、又、ボタン数を少なくすることによりシンプルなデザインとなり、美的外観が向上する。更に、テンキーを搭載する必要がないために電話装置のコストダウンに貢献することが可能である。
【図面の簡単な説明】
【０００７】
【図１】本発明を適用してなる実施例装置の外観斜視図である。
【図２】本実施例装置の親機１００のブロック図である。
【発明を実施するための形態】
【０００８】
次に、本発明の一実施形態に係る電話装置について、図面を参照して説明する。なお、本実施形態ではコードレス電話装置について説明するが、本発明は、この種の電話装置に限られることはなく、留守番電話装置等にも適用することができるものである。
【実施例】
【０００９】
図１は、本発明の実施例にかかるコードレス電話システムの全体構成を示す図である。本実施例のコードレス電話システムは、電話回線に接続された電話装置の親機１００と、無線通信機能を介してこの親機１００と接続される子機２００とを有してなる。尚、このコードレス電話システムの通信方式は、アナログ、デジタルのいずれであってもよい。
【００１０】
親機１００には、通話相手と拡声受話通話を開始するためのテブラボタン５１が搭載されている。ユーザは、着信があるとこのテブラボタン５１を押下することにより、親機１００と相手先とが接続し、スピーカ（図示せず）から相手先の音声が聞こえ、ユーザがマイク６０に向かって応答することにより、子機２００を使わずに相手先と通話を行うことが可能である。尚、このとき子機２００は親機１００に載置されていてもされていなくても良い。
【００１１】
また、親機１００には、ダイヤル用ボタン５２、登録ボタン５３、発信ボタン５４が搭載されている。ダイヤル用ボタン５２は、電話番号を入力するためのボタン、登録ボタン５３は入力した電話番号を決定するためのボタンであり、ダイヤル用ボタン５２は、入力した電話番号へ発呼を指示するためのボタンである。
【００１２】
一方、子機２００には、通常のコードレス子機と同様にテンキーや通話キー等が搭載されており、ユーザは子機２００を操作することにより相手先へ発呼を行うことも可能である。
【００１３】
図２は親機１００のブロック図である。親機１００は、制御部２１、着信検出部２２、回線接続部２３、操作部５０、メモリ部２６、ＡＣアダプタ２７、電源部２８、送信部３０、受信部３１、周波数シンセサイザー３２、送受信アンテナ３３などを備えて構成されている。
【００１４】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。
【００１５】
回線接続部２３は、電話回線と接続されて回線の解放閉結を行ったり、電話回線を通じた発呼処理を行う。又、回線接続部２３は、回線の極性反転を検出する機能と、回線からの音声信号を検出する機能と、回線からのＲＢＴ（リングバックトーン）を検出する機能を有している。
【００１６】
着信検出部２２は、回路接続部２３からの着信信号を受けて着信を検出すると共に、当該着信信号をパルス信号に波形整形して制御部２１に出力する。尚、回線からのＲＢＴ（リングバックトーン）を検出する機能をこの着信検出部２２に持たせても良い。
【００１７】
操作部５０は、テブラボタン５１、ダイヤル用ボタン５２、登録ボタン５３、発信ボタン５４等からなる。
【００１８】
メモリ部２６は、例えばフラッシュメモリによって構成され、氏名と電話番号とを対で複数格納可能な電話帳機能や、着信履歴や発信履歴を格納する機能等を有している。
【００１９】
電源部２８は、ＡＣアダプタ２７から所定の直流電圧を受けて、各回路構成要素に電源を供給する。
【００２０】
送信部３０と受信部３１は、送受信アンテナ３３を介して子機２００との間に無線通信による通話リンクを確立させて、信号の送受信を行う。また、周波数シンセサイザー３２は、当該子機との無線通信のための信号発振を担い、制御部２１からの制御信号によって、送信部３０と受信部３１の送受信周波数を適宜切り換える。
次に本実施例装置の動作について説明する。本実施例装置の親機１００を用いてユーザが電話番号を入力する際には、ダイヤル用ボタン５２と登録ボタン５３を操作することでユーザが電話番号を入力することが可能である。
ダイヤル用ボタン５２は、押下した回数だけ数字が上がっていくもので、押下回数が１から９までであると、その押下した回数分の数字が入力されたことになる。例えばユーザはダイヤル用ボタン５２を５回押下すると、数字の５が入力されたことになり、続いてユーザが登録ボタン５３を押下することにより数字の５が決定される。このようにして１桁の数字の入力が完了する。続いてユーザが次ぎの桁を入力する場合には、同様の操作を行うことにより数字を入力し決定することが可能である。全ての桁の数字の入力及び決定が完了すると、即ち電話番号の入力が完了すると、ユーザが発信ボタン５４を押下することにより、入力した電話番号先へ発呼を行うことが可能である。
より具体的な動作について以下に説明する。ユーザが例えば「０８５７２１２００１」という電話番号の宛先に発呼を行う場合には、以下の操作手順により実行することが可能である。
まず、「０」を入力するには、ユーザが登録ボタン５３を押下することにより、「０」が入力されると共に決定される。尚、「０」を入力する場合にはダイヤル用ボタン５２の操作は必要ない。又、このとき、スピーカ６１からは「ぜろ」という音声が出力される。これはどの数字が決定したかをユーザが確認する為である。更に、決定した「０」の情報はメモリ部２６に一時的に格納される。以下の操作で続いて入力される番号もメモリ部２６に一時的に格納される。
続いて、「８」を入力するには、ユーザがダイヤル用ボタン５２を８回押下した後に登録ボタン５３を押下することにより、「８」が入力されると共に決定される。又、このとき、スピーカ６１からは「はち」という音声が出力される。これもどの数字が決定したかをユーザが確認する為である。
同様にして、続く「２」を入力するには、ユーザがダイヤル用ボタン５２を２回押下した後に登録ボタン５３を押下することにより、「２」が入力されると共に決定される。又、このとき、スピーカ６１からは「に」という音声が出力される。これもどの数字が決定したかをユーザが確認する為である。
以下同様な操作により、続く「５７２１２００１」が入力され、最後の「１」の登録が完了した後に、ユーザが発信ボタン８４を押下すると、スピーカ６１から「０８５７２１２００１」と音声が出力される。ユーザはこの電話番号を聞いて確認した後に発信ボタン５４を押下することにより、メモリ部２６へ格納された電話番号へ発呼を行うことが可能である。尚、ユーザがダイヤルボタン５２を１０回以上押下した場合には、また１から入力されたことになる。即ち、ダイヤルボタン５２を１０回押下すると、「１」が入力されたことになり、１１回押下すると、「２」が入力されたことになる。又、ダイヤル用ボタン５２の押下後所定時間（例えば３０秒）経過すると、番号の入力操作が無効となり、スピーカ６１からは、「番号入力を中止します」と出力され、また初めから番号を入力しなければならない。
以上の動作は、制御部２１が、ダイヤル発信ボタン５２の押下回数に応じて、内部のカウンタ（図示せず）をインクリメントしてゆき、続いて登録ボタン５３の押下を検出すると、カウンタがカウントしている数字をメモリ部２６に一時的に格納する。また、制御部２１は、カウントしている数字に対する音声を音声合成により、スピーカ６１から出力する。
所定の桁数の番号の入力が完了すると、制御部２１は、発信ボタン５４の押下を検出し、メモリ部２６に格納されている電話番号を音声合成しスピーカ６１から出力し、続いて発信ボタン５４の押下を検出すると、回線接続部２３を制御することにより回線へ出力させる。このようにして電話番号を入力することが可能である。
【符号の説明】
【００２１】
２１  制御部
２６  メモリ部
５１  テブラボタン
５２  ダイヤル用ボタン
５３  登録ボタン
５４  発信ボタン
１００  親機
【図１】
2011009934.tif 000003
【図２】
2011009934.tif 000004